(57)【要約】【課題】表示器の組立性を向上させる。【解決手段】表示器２は、拡散板２４および表示素子２５を収容する収容部２０と、収容部２０と表示素子２５との間に介在するように、該表示素子２５の側縁を包囲する弾性部材２７と、を備える。拡散板２４の外縁には、該拡散板２４を収容部２０に固定するための被係止部２４２が延設されているとともに、収容部２０には、被係止部２４２を抜け止め状態で貫く係止部２２３が突設される。そして、弾性部材２７には、該弾性部材２７を正規位置に配置したときに、係止部２２３が収まるように構成された位置決め部２７３が設けられている【選択図】図１７
2020038269.tif 000002
【特許請求の範囲】
【請求項１】
車両に関連した情報を光学像として投影するための表示器であって、
光源から発せられた照明光を拡散する拡散板と、
前記拡散板により拡散された前記照明光を透過させることにより、前記光学像に対応した表示光を発する表示素子と、
前記拡散板および前記表示素子を収容する収容部と、
前記収容部と前記表示素子との間に介在するように、該表示素子の側縁を包囲する弾性部材と、を備え、
前記拡散板の外縁には、該拡散板を前記収容部に固定するための被係止部が延設されているとともに、前記収容部には、前記被係止部を抜け止め状態で貫く係止部が突設され、
前記弾性部材には、該弾性部材を正規位置に配置したときに、前記係止部が収まるように構成された位置決め部が設けられている
ことを特徴とする表示器。
【請求項２】
請求項１に記載された表示器において、
前記位置決め部は、前記表示素子の側縁に沿って並んでいる一対の突起部から成り、
前記係止部は、前記弾性部材を正規位置に配置したとき、前記一対の突起部の間に配置される
ことを特徴とする表示器。
【請求項３】
請求項１又は２に記載された表示器において、
前記位置決め部は、前記弾性部材を正規位置に配置したとき、前記被係止部と向い合う
ことを特徴とする表示器。
【請求項４】
請求項１から３のいずれか１項に記載された表示器において、
前記拡散板は、矩形状の外形を有し、
前記被係止部は、前記拡散板の長手方向一側と他側にそれぞれ設けられている
ことを特徴とする表示器。
【請求項５】
請求項４に記載された表示器において、
前記拡散板の長手方向一側に設けられた被係止部と、同方向他側に設けられた被係止部とは、前記拡散板の短手方向においてオフセットしており、
前記拡散板の短手方向一側には、第２の被係止部が設けられているとともに、前記収容部には、前記第２の被係止部に係止する第２の係止部が設けられている
ことを特徴とする表示器。
【請求項６】
請求項１〜５のいずれか１項に記載された表示器において、
前記収容部は、
前記表示素子の背面側に配置され、前記照明光を通過させるよう開口したスペーサと、
前記表示素子の前面側に配置され、前記表示光を通過させるよう開口したホルダと、を有し、
前記係止部は、前記スペーサの開口縁に設けられるとともに、前記弾性部材は、前記ホルダの開口縁に沿って配置される
ことを特徴とする表示器。
【請求項７】
請求項１〜６のいずれか１項に記載の表示器を備えたヘッドアップディスプレイ装置。
【発明の詳細な説明】
【技術分野】
【０００１】
ここに開示する技術は、表示器、及び、表示器を備えるヘッドアップディスプレイ装置に関する。
【背景技術】
【０００２】
いわゆるヘッドアップディスプレイ装置（以下、「ＨＵＤ装置」ともいう）とは、車両に関連した情報を光学像としてコンバイナやフロントガラス等に投影し、その虚像を通じてドライバに情報を伝える装置をいう。そうしたＨＵＤ装置においては、光学像に対応した表示光を出射するべく、モジュール化された表示器を用いるのが通例である。
【０００３】
例えば特許文献１には、光源（バックライトユニット）から発生された照明光を拡散して均一化する拡散板（光拡散板）と、この拡散板により拡散された照明光を透過させることにより、光学像に対応した表示光を発する表示素子（液晶表示素子）と、を備えた表示器が開示されている。
【０００４】
また、前記特許文献１には、表示素子の背面側に位置するスペーサ（支持体）と、前面側に位置するホルダ（ケース部材）とによって、拡散板と表示素子を包囲収容することも開示されている。
【先行技術文献】
【特許文献】
【０００５】
【特許文献１】特開２０１３−１７４８５５号公報
【発明の概要】
【発明が解決しようとする課題】
【０００６】
ところで、ＴＦＴ等から成る表示素子は、衝撃または応力から保護する必要がある。そこで、表示素子とホルダ等との接触を避けるべく、これらの部材の間に、パッキン等の弾性部材を介在させることが考えられる。
【０００７】
そうすると、ホルダ等から成る収容部には、表示素子ばかりでなく、拡散板と、弾性部材とが収容されることになる。このように、複数の部品を収容して成る表示器とした場合、その組立性という面で改善の余地があることに、本願発明者らは気付いた。
【０００８】
ここに開示する技術は、かかる点に鑑みてなされたものであり、その目的とするところは、車両に関連した情報を投影するための表示器において、その表示器の組立性を向上させることにある。
【課題を解決するための手段】
【０００９】
本開示は、車両に関連した情報を光学像として投影するための表示器に係る。この表示器は、光源から発せられた照明光を拡散する拡散板と、前記拡散板により拡散された前記照明光を透過させることにより、前記光学像に対応した表示光を発する表示素子と、前記拡散板および前記表示素子を収容する収容部と、前記収容部と前記表示素子との間に介在するように、該表示素子の側縁を包囲する弾性部材と、を備える。
【００１０】
そして、前記拡散板の外縁には、該拡散板を前記収容部に固定するための被係止部が延設されているとともに、前記収容部には、前記被係止部を抜け止め状態で貫く係止部が突設され、前記弾性部材には、該弾性部材を正規位置に配置したときに、前記係止部が収まるように構成された位置決め部が設けられている。
【００１１】
前記の構成によると、収容部には、拡散板と、表示素子と、弾性部材とが収容される。
【００１２】
ここで、収容部に突設した係止部は、拡散板に延設した被係止部を抜け止め状態で貫くことで、拡散板を収容部に固定することができる。その一方で、弾性部材に設けた位置決め部は、この弾性部材を正規位置に配置したときに、前述の係止部が収まるよう構成されている。
【００１３】
すなわち、拡散板を収容部に固定すると、係止部が被係止部を貫いて露出するところ、そうして露出した係止部を位置決め部に収めるように、弾性部材を位置決めすることで、弾性部材を正規位置に配置することができる。
【００１４】
このように、収容部に設けた係止部は、拡散板を固定するのに用いることができるばかりでなく、弾性部材を位置決めするときの目安として用いることができる。これにより、部品点数を抑制しつつも、拡散板および弾性部材を容易に取り付けることができ、ひいては、表示器の組立性を向上させることが可能となる。
【００１５】
また、前記位置決め部は、前記表示素子の側縁に沿って並んでいる一対の突起部から成り、前記係止部は、前記弾性部材を正規位置に配置したとき、前記一対の突起部の間に配置される、としてもよい。
【００１６】
この構成によれば、一対の突起部の間に係止部を配置することで、弾性部材を正規位置とすることができる。そのことで、弾性部材の位置決めが容易となり、ひいては、表示器の組立性を向上させる上で有利になる。
【００１７】
前記位置決め部は、前記弾性部材を正規位置に配置したとき、前記被係止部と向い合う、としてもよい。
【００１８】
この構成によれば、位置決め部を被係止部に向かい合わせることで、弾性部材を正規位置とすることができる。そのことで、弾性部材の位置決めが容易となり、ひいては、表示器の組立性を向上させる上で有利になる。
【００１９】
また、前記拡散板は、矩形状の外形を有し、前記被係止部は、前記拡散板の長手方向一側と他側にそれぞれ設けられている、としてもよい。
【００２０】
この構成によれば、長手方向の一側と他側とに被係止部を設けることで、拡散板の両端を収容部に固定することが可能となる。そのことで、拡散板をより確実に保持することができ、ひいては、表示器の組立性を向上させる上で有利になる。
【００２１】
また、前記拡散板の長手方向一側に設けられた被係止部と、同方向他側に設けられた被係止部とは、前記拡散板の短手方向においてオフセットしており、前記拡散板の短手方向一側には、第２の被係止部が設けられているとともに、前記収容部には、前記第２の被係止部に係止する第２の係止部が設けられている、としてもよい。
【００２２】
一般に、拡散板は、表面と裏面とを区別する必要がある。
【００２３】
前記の構成によれば、一対の被係止部をオフセットさせた上でさらに、第２の被係止部を設けることで、拡散板の表面と裏面とを見誤ることなく、収容部に拡散板を固定することが可能となる。これにより、表示器の組立性を向上させる上で有利になる。
【００２４】
また、前記収容部は、前記表示素子の背面側に配置され、前記照明光を通過させるよう開口したスペーサと、前記表示素子の前面側に配置され、前記表示光を通過させるよう開口したホルダと、を有し、前記係止部は、前記スペーサの開口縁に設けられるとともに、前記弾性部材は、前記ホルダの開口縁に沿って配置される、としてもよい。
【００２５】
また、本開示は、前記表示器を備えたヘッドアップディスプレイ装置にも係る。
【発明の効果】
【００２６】
以上説明したように、前記の表示器によれば、その組立性を向上させることができる。
【図面の簡単な説明】
【００２７】
【図１】図１は、車両の内装を例示する図である。
【図２】図２は、ヘッドアップディスプレイ装置の概要を例示するための図である。
【図３】図３は、ヘッドアップディスプレイ装置の外観を例示する斜視図である。
【図４】図４は、ヘッドアップディスプレイ装置からアッパーケースを取り外した状態を例示する分解斜視図である。
【図５】図５は、ヘッドアップディスプレイ装置の内部構成を例示する平面図である。
【図６】図６は、ヘッドアップディスプレイ装置の内部構成を例示する断面図である。
【図７】図７は、表示器の外観を例示する斜視図である。
【図８】図８は、表示器の構成を例示する分解斜視図である。
【図９】図９は、表示器の内部構成を例示する断面図である。
【図１０】図１０は、スペーサに拡散板を取り付けた状態を例示する斜視図である。
【図１１】図１１は、スペーサの構成を例示する斜視図である。
【図１２】図１２は、スペーサの構成を例示する平面図である。
【図１３】図１３は、拡散板の構成を例示する斜視図である。
【図１４】図１４は、弾性部材を前面側から見て例示する斜視図である。
【図１５】図１５は、弾性部材を背面側から見て例示する斜視図である。
【図１６】図１６は、係止部による弾性部材の位置決めを説明する図である。
【図１７】図１７は、表示器の断面図である。
【発明を実施するための形態】
【００２８】
以下、本開示の実施形態を図面に基づいて説明する。なお、以下の説明は例示である。
【００２９】
また、以下の説明では、ヘッドアップディスプレイ装置を単に「ＨＵＤ装置」という。
【００３０】
＜ＨＵＤ装置の概要＞
図１は、車両Ｖの内装を例示する図であり、図２は、ＨＵＤ装置１の概要を説明するための図である。図１〜図２に示すように、ＨＵＤ装置１は、車両ＶのダッシュボードＰの上面に埋め込まれるようにして設けられ、車速やカーナビゲーション情報など、車両Ｖに関連した情報を光学像としてウインドシールドＷに投影する。ウインドシールドＷに投影された光学像は、このウインドシールドＷによって反射され、ドライバは、その反射光に対応した虚像Ｄを通じて、ＨＵＤ装置１から投影された光学像、ひいては、その光学像が示す情報を視認することができる（図２の矢印を参照）。
【００３１】
＜ＨＵＤ装置の主要構成＞
以下、ＨＵＤ装置１の主要構成について説明をする。
【００３２】
図３はＨＵＤ装置１の外観を例示する斜視図であり、図４はＨＵＤ装置１からアッパーケース１０１を取り外した状態を例示する分解斜視図である。また、図５はＨＵＤ装置１の内部構成を例示する平面図であり、図６はＨＵＤ装置１の内部構成を例示する断面図である。
【００３３】
なお、図３〜図６において、「前」とは車両前後方向における「前」を示し、「後」とは車両前後方向における「後」を示す。また、「右」及び「左」は、それぞれ、車両前後方向に垂直な方向として定義されている。
【００３４】
図３〜図６に示すように、ＨＵＤ装置１は、主たる構成要素として、光学像に対応した表示光を発する表示器２と、この表示光を反射するミラーユニット３，４と、車両Ｖ周辺の照度を検出するセンサユニット５と、を備えている。
【００３５】
ここで、ミラーユニット３，４は、表示器２から発せられた表示光を反射する第１ミラーユニット３と、第１ミラーユニット３により反射された表示光をさらに反射する第２ミラーユニット４と、を有している。ＨＵＤ装置１から同装置１の外部に投影される光学像は、第２ミラーユニット４により反射された表示光を結像することにより得られる。
【００３６】
また、ＨＵＤ装置１は、表示器２、ミラーユニット３，４、及び、センサユニット５を収容する筐体１０をさらに備えており、筐体１０内に各部品を収容することで、ＨＵＤ装置１自体のユニット化を実現している。
【００３７】
筐体１０は、前後方向の寸法に比して、左右方向の寸法が長い箱状に構成されており、ミラーユニット３，４、特に第２ミラーユニット４による反射光を透過させるアッパーケース１０１と、このアッパーケース１０１により閉塞されるロアーケース１０２と、を有している。空気中の埃などから隔離するために、筐体１０内の空間は、気密状に密閉されている。
【００３８】
詳しくは、アッパーケース１０１は、主な構成要素として、第２ミラーユニット４による反射光を透過可能な薄板状のカバーグラス１０１ａと、カバーグラス１０１ａの周囲を囲う樹脂製のケース本体１０１ｂと、を有している。カバーグラス１０１ａとケース本体１０１ｂとの接続部は、不図示のシール部材によって密閉されている。なお、カバーグラス１０１ａには、外界の自然光を透過させることもでき、そうして透過させた自然光を通じて、センサユニット５が照度を検出するようになっている。
【００３９】
また、ロアーケース１０２は、上側が開口した浅箱状に構成されており、その内底面には、前述の表示器２と、第１ミラーユニット３と、第２ミラーユニット４とが取り付けられている。
【００４０】
なお、図６に示すように、ロアーケース１０２の下部には、リアカバー１０３が取り付けられている。ロアーケース１０２とリアカバー１０３とによって区画されるスペースには、ＰＣＢ配線板にＣＰＵ等を実装して成る制御基板６が収容されている。この制御基板６は、少なくとも、表示器２（具体的には、後述の表示素子２５）およびセンサユニット５に接続されている。
【００４１】
上記のようにして構成されたＨＵＤ装置１が起動すると、表示器２は、斜め後方に向けて光を出射する（図５の矢印Ｌ１を参照）。表示器２から出射された光は、第１ミラーユニット３の反射面３１ａによって反射される。これに伴う反射光は、略前方に向かって伝搬することになる（図５〜図６の矢印Ｌ２を参照）。そして、第１ミラーユニット３によって反射された光は、第２ミラーユニット４の反射面４１ａによって反射される。これに伴う反射光は、斜め上後方に向かって伝搬することになる（図６の矢印Ｌ３を参照）。
【００４２】
＜表示器の詳細＞
続いて、ＨＵＤ装置１の主な構成要素のうち、特に表示器２について詳細に説明をする。
【００４３】
図７は表示器２の外観を例示する斜視図であり、図８は、表示器２の構成を例示する分解斜視図であり、図９は表示器２の内部構成を例示する断面図である。
【００４４】
なお、図７〜図９における前後左右の向きは、図３〜図６における前後左右の向きとは異なる。具体的に、図７〜図９において、「前」とは表示器２の正面に向かう方向を指し、「後」とは表示器２の背面に向かう方向を指す。また、「右」及び「左」は、それぞれ、表示器２の背面から正面に向かう方向に垂直な方向として定義されている。
【００４５】
図７〜図９に示すように、表示器２は、光源としてのバックライトユニット２１と、バックライトユニット２１から発せられた照明光を拡散する拡散板２４と、この拡散板２４により拡散された照明光を透過させることにより、所望の光学像に対応した表示光を発する表示素子２５と、表示素子２５から発せられた表示光を透過させるホットミラー２８と、を備えている。
【００４６】
表示器２はまた、拡散板２４、表示素子２５およびホットミラー２８を収容する収容部２０と、表示素子２５およびホットミラー２８の側縁を包囲する弾性部材２７と、表示素子２５から延び、制御基板６に接続されるフレキシブル基板２６と、をさらに備えている。
【００４７】
このうち、収容部２０は、表示素子２５の背面側に配置され、バックライトユニット２１から発せられた照明光を通過させるように開口したスペーサ２２と、表示素子２５の前面側に配置され、表示素子２５から発せられた表示光を通過させるように開口したホルダ２３と、を有している。
【００４８】
図９等に示すように、本実施形態に係る収容部２０には、フレキシブル基板２６を下方に向かって繰り出すための開口部２０ａと、フレキシブル基板２６のうち、開口部２０ａから繰り出された部位を制御基板６に導くための板状のガイド部材２９と、が設けられている。
【００４９】
また、表示器２の背面側には、主にバックライトユニット２１を冷却するためのヒートシンク７が取り付けられている。ヒートシンク７の背面は、ＨＵＤ装置１の筐体１０から外部に露出しており、筐体１０外の空気との間で熱交換をするようになっている。
【００５０】
以下、表示器２の各構成要素について、順番に説明をする。
【００５１】
−バックライトユニット２１−
図９に示すように、バックライトユニット２１は、ＬＥＤ等の発光素子が配置された発光基板２１ｂと、発光基板２１ｂから発せられた照明光を透過させるコンデンサレンズ２１ｃ及びレンチキュラーレンズ２１ｄと、を備えている。
【００５２】
バックライトユニット２１はまた、発光基板２１ｂとコンデンサレンズ２１ｃを収容するライトボックス２１ａをさらに備えている。このライトボックス２１ａの前面は開口しており、その開口部にレンチキュラーレンズ２１ｄが載置されている。
【００５３】
よって、発光基板２１ｂから発せられた照明光は、コンデンサレンズ２１ｃとレンチキュラーレンズ２１ｄを順番に通過して、スペーサ２２に至る。スペーサ２２に至った照明光は、スペーサ２２に設けた開口を通過して拡散板２４に至る。
【００５４】
本実施形態に係る拡散板２４は、スペーサ２２に固定されるよう構成されている。そのため、拡散板２４とスペーサ２２とを略一体的な部材として取り扱うことができ、表示器２の組立性が向上している。
【００５５】
−スペーサ２２−
図１０はスペーサ２２に拡散板２４を取り付けた状態を例示する斜視図であり、図１１はスペーサ２２の構成を例示する斜視図であり、図１２はスペーサ２２の構成を例示する平面図である。
【００５６】
図９〜図１０に示すように、スペーサ２２は、表示素子２５を背面側から押圧することにより、バックライトユニット２１と表示素子２５との間の相対的な位置関係を調整するスペーサとして機能する一方で、拡散板２４を背面側から支持する台座としても機能する。
【００５７】
具体的に、図９〜図１２に示すように、スペーサ２２は、台座状のスペーサ本体２２０と、スペーサ本体２２０に対し拡散板２４を嵌め入れるための凹陥部２２１と、凹陥部２２１に嵌め入れた拡散板２４を固定するための係入部２２２及び係止部２２３と、を有している。
【００５８】
詳しくは、スペーサ本体２２０は、中空の四角錘台状に形成されており、その四角錘台の上底には、左右方向に横長の矩形状に開口した開口部２２０ａが設けられている。この開口部２２０ａを介して、バックライトユニット２１から発せられた照明光を拡散板２４まで導くことができる。
【００５９】
凹陥部２２１は、スペーサ本体２２０の上底を凹陥させて成り、開口部２２０ａの開口縁に沿って延設されている。よって、本実施形態に係る凹陥部２２１は、左右方向に横長で矩形枠状の外形を有する。スペーサ２２に拡散板２４を固定したとき、凹陥部２２１は、拡散板２４の外縁に対して後面側から接触して支持することになる
係入部２２２は、凹陥部２２１のうちの一部を広げるようにして設けられている。具体的に、係入部２２２は、凹陥部２２１の長手方向一側（この例では左右方向の右側）に設けた第１係入部２２２Ｒと、長手方向他側（この例では左右方向の左側）に設けた第２係入部２２２Ｌと、から成る。
【００６０】
各係入部２２２は、凹陥部２２１の短手方向（この例では上下方向）に沿って延びる矩形状の凹陥として形成されており、凹陥部２２１の外縁（特に左右の外縁）に繋がっている。各係入部２２２には、拡散板２４の外縁に設けられた左右一対の被係止部２４２を係入することができる。被係止部２４２については後述する。
【００６１】
各係入部２２２の短手方向中央部には、被係止部２４２を係止するための係止部２２３が突設されている。第１係入部２２２Ｒには第１係止部２２３Ｒが設けられている一方、第２係入部２２２Ｌには第２係止部２２３Ｌが設けられている。
【００６２】
図１７は、表示器２を上下方向に沿った断面（特に、第１係止部２２３Ｒを通過する断面）で見た図である。図１７に示すように、第１係止部２２３Ｒは、前方に向かって突出した突起部として形成されている。
【００６３】
さらに詳しくは、第１係止部２２３Ｒは、略台形状の断面を有しており、前方（図１７の紙面上方）に向かって先細となっている。また、第１係止部２２３Ｒの上下両側（図１７の紙面左右側）には、スペーサ本体２２０の上底を貫く一対の貫通孔が設けられている。第２係止部２２３Ｌもまた、同様に構成されている。
【００６４】
図１２に戻り、第１係入部２２２Ｒ及び第１係止部２２３Ｒと、第２係入部２２２Ｌ及び第２係止部２２３Ｌとは、開口部２２０ａの短手方向（この例では上下方向）においてオフセットしている。つまり、第１係入部２２２Ｒ及び第１係止部２２３Ｒは、開口部２２０ａを上下方向に二分する直線Ｃよりも下方に配置されている一方、第２係入部２２２Ｌ及び第２係止部２２３Ｌは、前記直線Ｃよりも上方に配置されている。
【００６５】
スペーサ２２はさらに、凹陥部２２１の短手方向一側（この例では上下方向の下側）に設けた第３係入部２２４と、この第３係入部２２４の中央部に設けた第３係止部２２５と、を有している。
【００６６】
第３係入部２２４は、凹陥部２２１の長手方向に沿って延びる矩形状の凹陥として形成されており、凹陥部２２１の外縁（特に下側の外縁）に繋がっている。第３係入部２２４には、拡散板２４の外縁に設けた第３被係止部２４３を挿入し、これを係止することができる。被係止部２２３については後述する。
【００６７】
−拡散板２４−
図１３は拡散板２４の構成を例示する斜視図である。
【００６８】
図８等に示すように、拡散板２４はシート状に形成されており、バックライトユニット２１から発せられた照明光を拡散して均一にすることができる。
【００６９】
具体的に、図１３に示すように、拡散板２４は、透過光を拡散するための拡散板本体２４１と、拡散板２４を収容部２０に固定するための被係止部２４２と、を有している。
【００７０】
詳しくは、拡散板本体２４１は、矩形状の外形を有している。拡散板本体２４１は、その長手方向をスペーサ本体２２０の長手方向（左右方向）に沿わせかつ、その短手方向を開口部２２０ａの短手方向（上下方向）に沿わせたような姿勢で、収容部２０に取り付けられる。
【００７１】
スペーサ２２に拡散板２４を固定したとき、拡散板本体２４１は、スペーサ本体２２０の開口部２２０ａに嵌まり込むことようになっている。このとき、開口部２２０ａの開口縁に沿って設けた凹陥部２２１によって、拡散板本体２４１の外縁を後方から支持することができる。
【００７２】
被係止部２４２は、拡散板本体２４１の外縁（特に、拡散板本体２４１における長手方向両側の外縁）から外方に向かって延設されている。具体的に、被係止部２４２は、拡散板本体２４１の長手方向一側に設けた第１被係止部２４２Ｒと、長手方向他側に設けた第２被係止部２４２Ｌと、から成る。
【００７３】
各被係止部２４２は、拡散板本体２４１の外縁のさらに一部を外方に延ばした上で、そうして延ばした部位を切り欠いて成る。図１７に示すように、第１被係止部２４２Ｒは、スペーサ２２に設けた第１係止部２２３Ｒを挿通させることで係止されるようになっている。
【００７４】
詳しくは、図１７に示すように、第１被係止部２４２Ｒにおける切欠の幅（特に、拡散板本体２４１の短手方向における幅）は、第１係止部２２３Ｒの幅よりも狭い。よって、第１被係止部２４２Ｒに第１係止部２２３Ｒを挿通させると、第１係止部２２３Ｒは、第１被係止部２４２Ｒを抜け止め状態で貫くことになる。これにより、スペーサ２２からの拡散板２４の脱落を抑制することができる。
【００７５】
そして、図１７に示すように、第１被係止部２４２Ｒを貫いた第１係止部２２３Ｒは、拡散板２４の前面（図１７の紙面上面）から露出することになる。図示は省略するが、第２被係止部２４２Ｌおよび第２係止部２２３Ｌについても、同様に構成されている。
【００７６】
図１３に戻り、第１被係止部２４２Ｒおよび第２被係止部２４２Ｌは、第１係止部２２３Ｒおよび第２係止部２２３Ｌと同様に、拡散板本体２４１の短手方向にオフセットしている。
【００７７】
また、拡散板本体２４１の外縁（特に、拡散板本体２４１における短手方向一側の外縁）には第３被係止部２４３が設けられている。この第３被係止部２４３には、第３係止部２２５を挿入することができる（図１１等を参照）。第３係止部２２５は「第２の係止部」の例示であり、第３被係止部２４３は「第２の被係止部」の例示である。
【００７８】
発光基板２１ｂから発せられ、スペーサ２２の開口部２２０ａを通過して拡散板２４に至った照明光は、拡散板２４により拡散された上で、前方に向かって伝搬する。そうして伝搬した照明光は、表示素子２５に至る。
【００７９】
−表示素子２５−
表示素子２５は、例えばＴＦＴ液晶素子から成り、スペーサ２２の開口部２２０ａ、及び、拡散板２４における拡散板本体２４１と同様に、左右方向に横長の矩形状に構成されている（図８を参照）。表示素子２５には種々の情報を表示することができ、表示素子２５の後面から照明光を透過させることで、表示素子２５の前面から表示光を出射することができる。表示素子２５における表示内容は、制御基板６からフレキシブル基板２６を介して入力される信号に基づいて制御される。
【００８０】
−フレキシブル基板２６−
フレキシブル基板２６は、いわゆるＦＰＣ（Flexible Printed Circuits）であり、表示素子２５の下端から延びている。フレキシブル基板２６の後面には、種々の回路が実装されている。また、フレキシブル基板２６の下端部には、制御基板６に接続するための端子が設けられている。
【００８１】
制御基板６において生成された制御信号は、フレキシブル基板２６を介して表示素子２５に入力され、表示素子２５の表示内容が制御される。そうして制御された表示内容は、表示素子２５から出射される表示光に反映される。この表示光は、ホットミラー２８に至る。
【００８２】
−ホットミラー２８−
ホットミラー２８は、スペーサ２２の開口部２２０ａ、拡散板２４における拡散板本体２４１、及び、表示素子２５と同様に、左右方向に横長の矩形状に構成されている（図８等を参照）。ホットミラー２８は、赤外線を反射させる一方、可視光を透過させるように構成されている。ホットミラー２８を用いることで、例えば、赤外線に起因した熱を抑制することが可能となる。
【００８３】
また、図９に示すように、表示素子２５、及び、ホットミラー２８は、表示器２を組み立てたときに、収容部２０を構成するホルダ２３により取り囲まれるようになっている。
【００８４】
−ホルダ２３−
図７〜図９等に示すように、ホルダ２３は、表示素子２５およびホットミラー２８の側方および前方に配置されており、スペーサ２２とともに、拡散板２４、表示素子２５、及び、ホットミラー２８の収容空間を構成している。ホルダ２３の前面には開口部２３ａが設けられており、ホットミラー２８を透過した表示光を表示器２の外部に出射させることができる。また、図９等に示すように、収容部２０を成すホルダ２３と表示素子２５との間には、弾性部材２７が介在している。
【００８５】
−弾性部材２７−
図１４は弾性部材２７を前面側から見て例示する斜視図であり、図１５は弾性部材２７を背面側から見て例示する斜視図である。また、図１６は、係止部２２３による弾性部材２７の位置決めを説明する図であり、図１７は係止部２２３による弾性部材２７の位置決めを例示する断面図である。
【００８６】
弾性部材２７は、ゴム等の弾性を有する素材から成る矩形枠状に形成されている。
【００８７】
具体的に、弾性部材２７は、図１４〜図１５等に示すように、矩形枠状の成す本体２７０と、本体２７０によって囲われた開口部２７０ａと、本体２７０の前面に設けられた第１嵌入部２７１と、本体２７０の後面に設けられた第２嵌入部２７２及び位置決め部２７３と、を有している。これらの要素は、弾性を有する素材から一体形成されている。
【００８８】
本体２７０の外輪郭は、スペーサ２２の開口部２２０ａ、拡散板２４における拡散板本体２４１、表示素子２５、及び、ホットミラー２８と同様に、左右方向に横長の矩形を成す。弾性部材２７は、ホルダ２３内に挿入されるようになっており、弾性部材２７をホルダ２３に挿入すると、本体２７０の外側面とホルダ２３の内壁とが相互に密着するとともに、ホルダ２３の開口縁に沿って弾性部材２７が配置されることになる。
【００８９】
開口部２７０ａは、弾性部材２７の中央部を貫通しており、表示素子２５から発せられた表示光を通過させてホットミラー２８へ導くよう構成されている。
【００９０】
第１嵌入部２７１は、本体２７０の前面に凹嵌しており、開口部２７０ａにおける前面側の開口縁に沿って設けられている。第１嵌入部２７１には、ホットミラー２８を嵌入させることができる。ホットミラー２８を第１嵌入部２７１に嵌入させると、ホットミラー２８における後面側の周縁部に、第１嵌入部２７１が密着するようになる。その結果、図９に示すように、ホットミラー２８の周縁部は、弾性部材２７とホルダ２３とによって挟み込まれることになる。
【００９１】
第２嵌入部２７２は、本体２７０の後面に凹陥しており、開口部２７０ａにおける後面側の開口縁に沿って設けられている。第２嵌入部２７２には、表示素子２５を嵌入させることができる。表示素子２５を第２嵌入部２７２に嵌入させると、表示素子２５における前面側の周縁部に、第２嵌入部２７２が密着するようになる。その結果、図９に示すように、表示素子２５の周縁部は、弾性部材２７とスペーサ２２とによって挟み込まれることになる。ホルダ２３は、弾性部材２７を介して表示素子２５およびホットミラー２８に接触し、これを支持することができる。
【００９２】
位置決め部２７３は、本体２７０の後面に設けられており、その短手方向に沿って（組立状態においては、表示素子２５の側縁に沿って）並んでいる一対の突起部２７３ａから成る。具体的に、位置決め部２７３は、本体２７０の長手方向一側に設けた第１位置決め部２７３Ｒと、長手方向他側に設けた第２位置決め部２７３Ｌと、を有する。
【００９３】
ここで、各位置決め部２７３は、スペーサ２２の前面から突出した各係止部２２３に対応するように配置されている。そして、各位置決め部２７３は、スペーサ２２と弾性部材２７との間の姿勢および相対位置が誤りなく正規なもの（以下、これを「正規位置」という）となったときに、各係止部２２３を受け入れて収めるように構成されている（図１６を参照）。
【００９４】
詳しくは、図１７に示すように、第１位置決め部２７３Ｒにおける突起部２７３ａ間の幅は、第１係止部２２３Ｒの幅よりも長くかつ、拡散板２４における第１被係止部２４２Ｒの幅（特に、拡散板本体２４１の短手方向における幅）よりも短い。よって、弾性部材２７を正規位置に配置すると、第１係止部２２３Ｒは、一対の突起部２７３ａの間に挟まれることになる。それと同時に、一対の突起部２７３ａは、それぞれ、第１被係止部２４２Ｒと向い合うことになる。
【００９５】
なお、図例では、第１係止部２２３Ｒの頂面と、弾性部材２７の後面とが接触しているが、これらを離間させてもよい。また、図例では、各突起部２７３ａと第１被係止部２４２Ｒとが離間しているが、これらを接触させてもよい。図示は省略するが、第２被係止部２４２Ｌ、第２係止部２２３Ｌ、及び、第２位置決め部２７３Ｌについても、同様に構成されている。
【００９６】
−表示器２の組立性について−
ところで、ＴＦＴ等から成る表示素子２５は、他の部品と比較して高価である。そこで、表示素子２５とホルダ２３との接触を避けるべく、これらの部材の間に、図１４〜図１５に示すような弾性部材２７を介在させることが考えられる。
【００９７】
この場合、スペーサ２２およびホルダ２３から成る収容部２０には、表示素子２５ばかりでなく、拡散板２４と、弾性部材２７と、さらにはホットミラー２８とが収容されることになる。このように、複数の部品を収容して成る表示器２とした場合、その組立性という面で改善の余地があることに、本願発明者らは気付いた。
【００９８】
特に、図１４〜図１５に示すような弾性部材２７とした場合、後面側には表示素子２５が嵌入される一方、前面側にはホットミラー２８が嵌入されることになるから、表示器２をスムースに組み立てるためには、少なくとも、弾性部材２７の表裏を迅速に判断することが望ましい。また、表示素子２５の下端からフレキシブル基板２６が延びることを考慮すると、表示素子２５の上下を区別して取り付ける必要もある。そのためには、弾性部材２７の上下も迅速に判断することが望ましい。
【００９９】
図１６に示すように、スペーサ２２に突設した係止部２２３は、拡散板２４に延設した被係止部２４２を抜け止め状態で貫くことで、拡散板２４をスペーサ２２に固定することができる。その一方で、弾性部材２７に設けた位置決め部２７３は、この弾性部材２７を正規位置に配置したときに、前述の係止部２２３が収まるよう構成されている。
【０１００】
すなわち、拡散板２４をスペーサ２２に固定すると、係止部２２３が被係止部２４２を貫いて露出するところ、そうして露出した係止部２２３が位置決め部２７３に収まるよう、弾性部材２７を位置決めすることで、弾性部材２７を正規位置に配置することができる。
【０１０１】
このように、係止部２２３は、拡散板２４を固定するのに用いることができるばかりでなく、弾性部材２７を位置決めするときの目安として用いることができる。これにより、部品点数を抑制しつつも、拡散板２４および弾性部材２７を容易に取り付けることができ、ひいては、表示器２の組立性を向上させることが可能となる。
【０１０２】
また、図１７に示すように、一対の突起部２７３ａの間に係止部２２３を配置することで、弾性部材２７を正規位置とすることができる。そのことで、弾性部材２７の位置決めが容易となり、ひいては、表示器２の組立性を向上させる上で有利になる。
【０１０３】
さらに、図１７に示すように、位置決め部２７３を被係止部２４２に向かい合わせることで、弾性部材２７を正規位置とすることができる。そのことで、弾性部材２７の位置決めが容易となり、ひいては、表示器の組立性を向上させる上で有利になる。
【０１０４】
また、図１３等に示すように、拡散板２４の長手方向一側と他側に被係止部２４２を設けることで、拡散板２４の両端をスペーサ２２に固定することが可能となる。そのことで、拡散板２４をより確実に保持することができ、ひいては、表示器２の組立性を向上させる上で有利になる。
【０１０５】
また一般に、拡散板２４は、表面と裏面とを区別する必要がある。
【０１０６】
また、図１２に示すように、第１係止部２２３Ｒと第２係止部２２３Ｌとをオフセットさせた上でさらに、第３係止部２２５を設けることで、拡散板２４の表面と裏面とを見誤ることなく、スペーサ２２に拡散板２４を固定することが可能となる。これにより、表示器２の組立性を向上させる上で有利になる。
【０１０７】
《他の実施形態》
前記実施形態では、第１係止部２２３Ｒと第２係止部２２３Ｌとが両方とも抜け止め状態となるように構成されていたが、この構成には限定されない。第１係止部２２３Ｒと第２係止部２２３Ｌのうちの少なくとも一方が抜け止め状態となればよい。また、第３係止部２２５が、第３係入部２２４を抜け止め状態で貫くように構成してもよい。
【符号の説明】
【０１０８】
Ｖ        車両
１        ＨＵＤ装置
２        表示器
２０      収容部
２１      バックライトユニット（光源）
２２      スペーサ
２２３    係止部
２２３Ｒ  第１係止部
２２３Ｌ  第２係止部
２２５    第３係止部（第２の係止部）
２３      ホルダ
２４      拡散板
２４２    被係止部
２４２Ｒ  第１被係止部
２４２Ｌ  第２被係止部
２４３    第３被係止部（第２の被係止部）
２５      表示素子
２７      弾性部材
２７３    位置決め部
２７３ａ  突起部
【図１】
2020038269.tif 000003
【図２】
2020038269.tif 000004
【図３】
2020038269.tif 000005
【図４】
2020038269.tif 000006
【図５】
2020038269.tif 000007
【図６】
2020038269.tif 000008
【図７】
2020038269.tif 000009
【図８】
2020038269.tif 000010
【図９】
2020038269.tif 000011
【図１０】
2020038269.tif 000012
【図１１】
2020038269.tif 000013
【図１２】
2020038269.tif 000014
【図１３】
2020038269.tif 000015
【図１４】
2020038269.tif 000016
【図１５】
2020038269.tif 000017
【図１６】
2020038269.tif 000018
【図１７】
2020038269.tif 000019